(57)【要約】【課題】メモリ情報表示機能付き格納用関連装置を提供する。【解決手段】少なくとも一つのストレージ媒体が内蔵または外接され、かつ、そのストレージ媒体がファイル資源割当を格納する基準ブロックを備えるメモリ情報表示機能付き格納用関連装置を提供することであり、この格納用関連装置は、分析制御モジュールと、表示ユニットと、この分析制御モジュールと表示ユニットを接続する表示駆動インターフェースとを含む。その中では、この分析制御モジュールはこの基準ブロックを読み取るとともに、このストレージ媒体を走査しストレージ媒体の負荷及び使用状況を分析・算出し、かつ、読み取り及び走査動作において最も新しいメモリ情報を得って起動表示信号をこの表示駆動インターフェースに送信し、この表示駆動インターフェースには起動表示信号が受信され、表示ユニットを触発させ分析制御モジュールより伝送されるメモリ情報（メモリ分割領域、ファイルシステムフォーマット、容体ラベル名、利用可能／使用中なスペース及びブロック損害数等）を表示する。【選択図】図１
0003107242.tif 000002
【実用新案登録請求の範囲】
【請求項１】
少なくとも一つのストレージ媒体が内蔵または外接され、かつ、そのストレージ媒体がファイル資源割当を格納する基準ブロックを備えるメモリ情報表示機能付き格納用関連装置において、
この基準ブロックを読み取り、このストレージ媒体を走査しストレージ媒体の負荷及び使用状況を分析・算出し、かつ、読み取り及び走査動作で最も新しいメモリ情報を得て起動表示信号を送信する分析制御モジュールと、
このような格納用関連装置がオンラインやオフラインまたは電源が閉じることになる場合には、前記のメモリ情報を表示できる表示ユニットと、
この分析制御モジュールと表示ユニットを接続し、この起動表示信号が受信され、表示ユニットを触発させ分析制御モジュールよりメモリ情報を伝送される表示駆動インターフェースと
を備えることを特徴とするメモリ情報表示機能付き格納用関連装置。
【請求項２】
この表示ユニットは、双安定液晶表示ユニットであることを特徴とする請求項１記載のメモリ情報表示機能付き格納用関連装置。
【請求項３】
この表示器は、オンラインの状態で表示される情報が更新でき、または、オフラインかつ独立電源が供給される状態でその表示される情報が更新できることを特徴とする請求項２記載のメモリ情報表示機能付き格納用関連装置。
【請求項４】
この表示器は、電源が閉じられかつ他の電源が供給されない状態でこの最も新しいメモリ情報をラッチしてからユーザに供し閲覧できることを特徴とする請求項２記載のメモリ情報表示機能付き格納用関連装置。
【請求項５】
この格納用関連装置は記憶装置であって、
アプリケーションシステムと接続しデータを読み／書きまたは指令伝送を行うシステム端インターフェースと、
内蔵式ストレージ媒体に電気的に接続するストレージ媒体インターフェースと、
システム端インターフェース及びストレージ媒体インターフェースに電気的に接続し、このシステム端インターフェースからのデータをアクセスする指令を受信、実行し、このストレージ媒体インターフェースを介してこれらのデータをストレージ媒体に記録し、またはストレージ媒体からこれらの情報を読み取り戻してアプリケーションシステムに供給するコントローラと、
前記の部材に電気的に接続し、受信される供給電源を前記部材が受けられるワーク電圧に調整する電源変調回路と、を備えることを特徴とする
請求項１記載のメモリ情報表示機能付き格納用関連装置。
【請求項６】
この記憶装置は、引き取り型及び携帯式記憶装置を含むことを特徴とする請求項５記載のメモリ情報表示機能付き格納用関連装置。
【請求項７】
この格納用関連装置は記憶装置であって、
アプリケーションシステムと接続しデータを読み／書きまたは指令伝送を行うシステム端インターフェースと、
外部から置かれる少なくとも一つのストレージ媒体を有する記憶装置と接続する記憶装置インターフェースと、
システム端インターフェースと記憶装置インターフェースに電気的接続され、このシステム端インターフェースがアプリケーションシステムを介して得たデータをアクセスする指令を受信し、この記憶装置インターフェースを介しこれらのデータをストレージ媒体に記録し、またはストレージ媒体からこれらの情報を読み取り戻してアプリケーションシステムに供給するブリッジコントローラと、
前記の部材に電気的に接続し、受信される供給電源を前記部材が受けられるワーク電圧に調整する電源変調回路と、を備えることを特徴とする請求項１記載のメモリ情報表示機能付き格納用関連装置。
【請求項８】
この格納伝送媒介装置は、電源変調回路に電気的に接続し、独立電源が供給する供給電源を伝送する電源インターフェースをさらに備えることを特徴とする請求項７記載のメモリ情報表示機能付き格納用関連装置。
【請求項９】
この格納ファイル資源割当用の基準ブロックは、メモリ分割領域、ファイルシステムフォーマット及び容体ラベル名を含むことを特徴とする請求項１記載のメモリ情報表示機能付き格納用関連装置。
【請求項１０】
分析・算出されるストレージ媒体の負荷及び使用状況の情報は、利用可能／使用中なスペース及びブロック損害数を含むことを特徴とする請求項１記載のメモリ情報表示機能付き格納用関連装置。
【考案の詳細な説明】
【技術分野】
【０００１】
本考案は、メモリ情報表示機能付き格納用関連装置に係わるもので、とくに、システム端を介する必要は無く本体自身によってメモリ分割領域、ファイルシステムフォーマット、利用可能なスペース、容体ラベル名等のメモリ関連情報が分析でき、特定または特定ではない表示装置で示させユーザに参考を与える格納用関連装置に関するものである。
【背景技術】
【０００２】
現在、Ｚｉｐディスク、フォトディスク及びメモリカードなどのような引き取り型記憶装置と、ＵＳＢインターフェースイージディスク、外接型ハードディスクなどのような携帯式記憶装置とを含む、薄軽く短いかつ大容量蓄積できる記憶装置を備えるが、引き取り型も、または、携帯式記憶装置も、その本体自身が実物情報記録の機能だけ備えるため、産業界においてその作用もシステム端だけに対し記録と情報獲得のために供給する。また、例えば、コンピュータなどのシステム端がそれらの引き取り型記憶装置に保存されるデータをアクセスすることを容易にさせるため、引き取り型伝送媒介装置（例えば、Ｚｉｐディスク、フォトディスク及びカード読み出しなど）により引き取り型記憶装置とシステム端との間の信号伝送媒介としなければならないが、その作用もそれだけに限り、他の特徴と効果を生じられない。
【考案の開示】
【考案が解決しようとする課題】
【０００３】
即ち、前記の引き取り型記憶装置、伝送媒介装置及び携帯式記憶装置などの格納用関連装置は、その本体自身が単にデータ蓄積と伝送機能だけを備え、情報表示等の機能は備えてないので、前記の記憶装置が使用過程の中にその内部保存される容量が段々消費されても、直接に例えば、メモリ分割領域、ファイルシステムフォーマット、利用可能なスペース、容体ラベル名等のメモリ関連情報を本体または関連伝送媒介装置上に表示することはできない。ユーザにはメモリの関連情報を知らせる為、普通これらの格納用関連装置をホストシステム端に接続する状態に、ユーザにてホスト装置内にメモリ関連情報を得るアプリケーションプログラムを操作しなければならないことより、記憶装置の使用状態が明らかになるが、上記の操作方式では、ホスト装置の電源が閉じられまたは格納用関連装置がホスト装置にオフラインされる状態に、ユーザはメモリの状態と他の関連情報を知ることができない。
【０００４】
また、現在ＵＳＢインターフェースイージディスクに新たにＭＰ３機能が追加されるので、本体上にも情報表示できるミニスクリーンが設けられ、かつＵＳＢインターフェースでシステム端との伝送インターフェースとして、オンラインの状態にも情報表示可能になり、また、その内部に電池が内蔵され本体がオフラインの状態に置かれても正常な運営がなされることを供給するが、オンラインの状態にもまたはオフラインの状態にも、その表示される情報は、曲を放送するときの関連情報だけに限られ、例えば、歌謡曲放送シンケースと放送長さ等であり、その本体自身のストレージ媒体の使用状況に対し分析・解読してユーザに閲覧させることはできず、かつ、電源が閉じられる状態にも、放送情報を示しユーザに参考を与える事はできない。
【０００５】
上記の格納用関連装置はその本体に関連情報を表示できない為、以下の欠点を有する。
【０００６】
１．ユーザに不便を与える：ユーザは必ずシステム端が起動される状態に、かつ、独自の操作手順を介して、前記の記憶装置の重要な関連情報を把握できるが、これは記憶装置の内容量が足りない状態に置かれた場合、番外に購入または他型の記憶装置で代わり格納しなければならないため、ユーザに相当な不便を与える事になる。
【０００７】
２．システム端に負担を増加する：これら未来の格納用主流になる装置は、自身で関連工程を実行できず、ある機能を失い、システム端が介入しなければ処理できないため、現在の周辺装置の協和性がますます強められる。システム端の負荷を下げる時代において、逆にシステム端の無駄な負荷を増加させ、特に、例えばメモリカードなどの引き取り型記憶装置がデジタルカメラなどのような電気量の限界がある携帯式装置に適用されるときに、このメモリカードの格納余量を知りたいごとに、電源を一度オンしなければならないので、その電力が無駄な工作実行上に消費されてしまうことになる。
【課題を解決するための手段】
【０００８】
本考案の主な目的は、少なくとも一つのストレージ媒体が内蔵または外接され、かつ、そのストレージ媒体がファイル資源割当を格納する基準ブロックを備えるメモリ情報表示機能付き格納用関連装置を提供することである。本考案が提供する格納用関連装置は、少なくとも分析制御モジュールと、表示ユニットと、この分析制御モジュールと表示ユニットを接続する表示駆動インターフェースとを含み、その中では、この分析制御モジュールはこの基準ブロックを読み取るとともに、このストレージ媒体を走査しストレージ媒体の負荷及び使用状況を分析・算出し、かつ、読み取り及び走査動作において最も新しいメモリ情報を得て起動表示信号をこの表示駆動インターフェースに送信し、この表示駆動インターフェースには起動表示信号が受信され、表示ユニットを触発させ分析制御モジュールより伝送されるメモリ情報（メモリ分割領域、ファイルシステムフォーマット、容体ラベル名、利用可能／使用中なスペース及びブロック損害数等）を表示する。よって、格納用関連装置がメモリ情報を得るために必要な分析演算機能を備えるので、システム端を利用する工作負荷が下げられる。
【０００９】
本考案のもう一つの目的は、メモリ情報表示機能付き格納用関連装置を提供し、その内蔵される表示装置は双安定表示ユニットであって、このような格納用関連装置がオンラインやオフラインまたは電源が閉じるなどになる場合、ともに前記のメモリ情報を表示でき、分析・演算したあと得られたメモリ情報をユーザに閲覧させ、ユーザに対し常にストレージ媒体の使用状況を把握できることによって、使用の便利性を上昇させる。
【００１０】
本考案の上記内容、他の目的、特徴及び有利点を更に理解させるため、以下、添付図面を参考しながら実施例を詳細に説明する。
【考案を実施するための最良の形態】
【００１１】
本考案は、記憶装置本体１（図１に示すように）と格納伝送媒介装置３（図２に示すように）とを含むメモリ情報表示機能付き格納用関連装置を提供しており、本考案では、いわゆる記憶装置本体１は、メモリカードなどのような引き取り型記憶装置と、ＵＳＢインターフェースイージディスク、外接型ハードディスクなどのような携帯式記憶装置とを含み、これらの記憶装置はともに少なくとも一つの内蔵式ストレージ媒体を有し、中では、メモリカードまたはイージディスクはシリコンで格納ユニットを形成し、外接型ハードディスクは複数の磁気格納ユニットでストレージ媒体を形成する。また、格納伝送媒介装置３は、その本体自身がストレージ媒体を備えてないが、ストレージ媒体を備える記憶装置（即ち、図２の符号４２に示される装置）に外接し、アプリケーションシステム端と記憶装置との間の伝送媒介（中では、メモリカードに対しての格納伝送媒介装置は、カードリーダで）をしているものである。
【００１２】
以下、図１を参照し、記憶装置本体１を本考案の実施例として説明する。この記憶装置本体１は、少なくとも分析制御モジュール１０と、表示ユニット１４と、表示駆動インターフェース１２とを含み、その中では、この分析制御モジュール１０はストレージ媒体２２内のファイル資源割当などの情報を読み取り、その情報はこれらのストレージ媒体２２の基準ブロック内に格納され、メモリ分割領域とファイルシステムフォーマットと容体ラベル名（Ｖｏｌｕｍｅ
Ｌａｂｅｌ）等の基準情報を含み、ファイルシステムフォーマットは作業システムの異なりによってＤＯＳバージョンのＦＡＴ１２、ＦＡＴ１６、Ｗｉｎｄｏｗｓ（登録商標）バージョンのＦＡＴ３２、Ｗｉｎｄｏｗｓ（登録商標）ＮＴバージョンのＮＴＦＳ、ＯＳ２バージョンのＨＰＦＳ及びＭａｃバージョンのＨＦＳなどがあり、上記の情報を読み取る他に、分析制御モジュール１０もこのストレージ媒体を走査しストレージ媒体の現在の負荷及び使用状況（例えば、残留利用可能な容量、使用中スペース容量及びブロック損害数）を分析・算出し、前記の読み取り及び走査動作において最も新しいメモリ情報を得て起動表示信号をこの表示駆動インターフェース１２に送信し、分析制御モジュール１０と表示ユニット１４とを接続するこの表示駆動インターフェース１２に起動表示信号が受信され、表示ユニット１４を触発させ分析制御モジュール１０より伝送されるメモリ情報（メモリ分割領域、ファイルシステムフォーマット、容体ラベル名、利用可能／使用中なスペース及びブロック損害数等）を表示する。よって、格納用関連装置がメモリ情報を得るために必要な分析演算機能を備えるため、システム端を利用する工作負荷が下げられる。
【００１３】
特に、その内蔵される表示装置１４は双安定液晶表示ユニットであって、その液晶は２種類の異なる配向状態でその安定特性を示し、言い換えれば、電圧でこの２種類の安定状態を変更でき、また、オプチカル方式でも識別できれば、いわゆる双安定型ＬＣＤになる。このような格納用関連装置は電源が供給される状態でその表示情報を更新できるが、電源が閉じられる状態でその表示情報を更新できず、最後に更新された表示情報をスクリーンにラッチ（Ｌａｔｃｈ）できるため、オンラインやオフラインまたは電源が閉じるなどになる場合、ともに前記のメモリ情報を表示でき、分析・演算したあと得られたメモリ情報をユーザに閲覧させ、ユーザに対し常にストレージ媒体の使用状況を把握できることを採用することによって、使用の便利性を上昇させる。
【００１４】
表示ユニット１４が示されるこれらのメモリ情報のフォーマットは、二桁の数字並びに％で単位としてまたは少なくとも二桁の数字並びに百万／十億バイト（ＭＢ-ＭｅｇａＢｙｔｅ/ＧＢ-ＧｉｇａＢｙｔｅ）を単位とすることによって、残留利用可能な空間の多少を示し、または、長細形状の視覚効果が現れ、その長さで残留利用可能な空間の多少を示し、また、色の差も現れ、その色差の現れで残留利用可能な空間の多少を示す。よって、システム端の番外処理工程と電源供給を無駄にしなくて良い状態下に、この記憶装置が他の必要なデータを収納する十分な空間を有することをユーザに知らせる。
【００１５】
記憶装置本体１は、さらにシステム端インターフェース１８とストレージ媒体インターフェース２０とコントローラ１６と電源変調回路１９とを備える。
【００１６】
その中には、分析制御モジュール１０と表示駆動インターフェース１２は、図１にはコントローラ１６外に単独に設けられることを示されるが、それは易しく説明するためであり、また、分析制御モジュール１０と表示駆動インターフェース１２は、共にコントロールユニットであり、コントローラ１６に内蔵される方式に設置しても良い、分析制御モジュール１０の設計方式はマイクロプロセッサー（図を示さない）及び分析ソフト（図を示さない）で構成され、または、単にハードウェア回路でその分析制御機能を実施する。
【００１７】
記憶装置本体１内のその素子は、例えば、アプリケーションシステムと接続するシステム端インターフェース１８が、これによってシステム端間のデータを読み／書きまたは指令伝送を行い、ストレージ媒体インターフェース２０は内蔵式のストレージ媒体２２に電気的に接続し、コントローラ１６はシステム端インターフェース１８及びストレージ媒体インターフェース２０に電気的に接続し、このシステム端インターフェース１８を介したデータをアクセスする指令を受信、実行し、このストレージ媒体インターフェース２０を介しこれらのデータをストレージ媒体２２に記録し、またはストレージ媒体２２からこれらの情報を読み取り戻してアプリケーションシステムに提供する、電源変調回路１９は前記の部材に電気的に接続し、受信される供給電源を前記部材が受けられるワーク電圧に調整する。
【００１８】
その中には、システム端インターフェース１８は記憶装置の種類の差異に応じて異なるので、例えば、イージディスクまたは外接型ハードディスクなどの携帯式記憶装置インターフェースは、ＵＳＢ（ユニバーサル  シリアル  バス）インターフェースまたはＦｉｒｅ
Ｗｉｒｅ／ＩＥＥＥ１３９４インターフェースでよい。また、例えばメモリカードなどの引き取り型記憶装置はその規格によってＰＣカードインターフェース、コンパクトフラッシュ（登録商標）インターフェース、メモリースティックインターフェース、セキュアデジタルインターフェースまたはマルチメディアカードなどのインターフェースでよい。
【００１９】
図２を参照すると、図に示されるものは、格納用に異なる格納伝送媒介装置であり、分析制御モジュール３０、表示駆動インターフェース３２及び表示ユニット３４などの部材を含み、接続方式及び機能表現上に共に図１の記憶装置本体１と大体同じであり、ここでは重複に説明しない。システム端インターフェース３８が接続するアプリケーションシステムは単に一般のＰＣシステムであり、そのインターフェース種類は、ＵＳＢインターフェースまたはＦｉｒｅ
Ｗｉｒｅ／ＩＥＥＥ１３９４インターフェースなどのインターフェースを含み、格納インターフェースは外部から置かれる記憶装置４２と接続する記憶装置インターフェース４０であり、この記憶装置４２は少なくともストレージ媒体を含み、ブリッジコントローラ３６はシステム端インターフェース３８と記憶装置インターフェース４０に電気的接続されるが、記憶装置内のコントローラと異なるのは、ブリッジコントローラ３６が指令／データ伝送に用いるものとする。また、中の電源変調回路３９は前記の部材に電気的に接続し、前記部材が受けられるワーク電圧を供給する以外、システム端とはオフラインになる状態に、中に別に設けられる電源インターフェース５０により独立電源５２と電気的接続され、この独立電源が供給する供給電源を伝送する。
【００２０】
なお、例えば、前記の表示ユニットだけを格納用関連装置から移出させ、外接式のモニタよりこれらのメモリ情報を表示してもよく、その生じる機能作用が本考案の精神を超えていなければ、本考案の範囲内に含まれる。
【図面の簡単な説明】
【００２１】
【図１】本考案の実施例の重要な機能構成のブロック図である。
【図２】本考案のもう一つの実施例の機能構成のブロック図である。
【符号の説明】
【００２２】
１：記憶装置本体
３：格納伝送媒介装置本体
１０、３０：分析制御モジュール
１２、３２：表示駆動インターフェース
１４、３４：表示ユニット
１６：コントローラ
１８、３８：システム端インターフェース
１９、３９：電源変調回路
２０：ストレージ媒体インターフェース
２２：ストレージ媒体
３６：ブリッジコントローラ
４０：記憶装置インターフェース
４２：記憶装置
５０：電源インターフェース
５２：独立電源
【図１】
0003107242.tif 000003
【図２】
0003107242.tif 000004